(57)【特許請求の範囲】
【請求項１】
加熱手段と、前記加熱手段により加熱された湯を貯湯する貯湯槽と、
前記貯湯槽の湯で浴槽の水を加熱する熱交換器と、
前記貯湯槽内の湯が前記熱交換器を介して循環する追い焚き回路と、
前記貯湯槽内の水を排水する排水管と、
前記排水管に接続された排水栓と、
前記貯湯槽の上部に配設された逃がし弁と、
前記追い焚き回路内の水を前記排水管へ排水する水抜き流路と、
を備え、
前記水抜き流路は、前記貯湯槽の底部の水が、前記排水管を介して前記加熱手段に搬送される流路の一部を利用して設けられており、
前記排水栓と前記逃がし弁とを開くだけで、前記追い焚き回路の水が、前記水抜き流路から前記排水管へと流れ、前記貯湯槽内の水の排水と前記追い焚き回路内の水の排水とを、前記排水管から行うことができる構成としたことを特徴とする給湯装置。
【請求項２】
前記水抜き流路は、前記排水管側から前記追い焚き回路側への水の流れを防止する逆流防止手段を含むことを特徴とする請求項１に記載の給湯装置。
【発明の詳細な説明】
【技術分野】
【０００１】
本発明は、追い焚き機能を有する給湯装置に関するものである。
【背景技術】
【０００２】
従来、この種の給湯装置には、浴槽の湯を加温する追い焚き運転を機能として備えたものがある（例えば、特許文献１参照）。
【０００３】
図３は、追い焚き運転を機能として備えた給湯装置であり、貯湯槽１と、貯湯槽１の底部に接続された給水管２と、貯湯槽１の底部に接続された排水管３と、貯湯槽１に接続された逃がし弁１６と、排水管３に接続された排水栓４と、貯湯槽１の水を加熱する加熱手段としてのヒートポンプユニット５と、ヒートポンプユニット５からの水を貯湯槽１の底部もしくは貯湯槽１の頂部に導くための三方弁６と、追い焚きを行う対象の浴槽７と、浴槽７の水と貯湯槽１の水とを熱交換するように構成された熱交換器８から構成されている。
【０００４】
また、給湯装置は、浴槽７と熱交換器８を接続する浴槽水循環配管９と、浴槽７の水を熱交換器８に搬送するための浴槽水搬送ポンプ１０と、貯湯槽１の頂部と貯湯槽１側面部を接続する貯湯槽熱交換器接続配管１２ａと熱交換器８と貯湯槽水搬送ポンプ１１を接続する熱交換器ポンプ配管１２ｂと貯湯槽水搬送ポンプ１１と貯湯槽１側面部を接続するポンプ貯湯槽配管１２ｃから構成される追い焚き回路１２と、沸き上げポンプ１３と、追い焚き回路水抜き管２２と、追い焚き回路水抜き栓２３から構成されている。
【０００５】
追い焚き運転時には、浴槽水搬送ポンプ１０と貯湯槽水搬送ポンプ１１が動作し、貯湯槽１の水と浴槽７の水が熱交換される。
【先行技術文献】
【特許文献】
【０００６】
【特許文献１】特開２０１３−１８１７０９号公報
【発明の概要】
【発明が解決しようとする課題】
【０００７】
しかしながら、前記従来の構成では、機器の水抜き時に、貯湯槽１の水抜き操作だけでは追い焚き回路から水が抜けず、追い焚き回路の水抜きのために追い焚き回路に設けられた追い焚き配管水抜き栓を追加で操作しなければならないという課題を有していた。
【０００８】
本発明は、前記従来の課題を解決するもので、貯湯槽の水抜き操作だけで、追い焚き回路からも水を抜くことができる使用性の高い給湯装置を提供することを目的とする。
【課題を解決するための手段】
【０００９】
前記従来の課題を解決するために、本発明の給湯装置は、加熱手段と、前記加熱手段により加熱された湯を貯湯する貯湯槽と、前記貯湯槽の湯で浴槽の水を加熱する熱交換器と、前記貯湯槽内の湯が前記熱交換器を介して循環する追い焚き回路と、前記貯湯槽内の水を排水する排水管と、前記排水管に接続された排水栓と、前記貯湯槽の上部に配設された逃がし弁と、前記追い焚き回路内の水を前記排水管へ排水する水抜き流路と、を備え、前記水抜き流路は、前記貯湯槽の底部の水が、前記排水管を介して前記加熱手段に搬送される流路の一部を利用して設けられており、前記排水栓と前記逃がし弁とを開くだけで、前記追い焚き回路の水が、前記水抜き流路から前記排水管へと流れ、前記貯湯槽内の水の排水と前記追い焚き回路内の水の排水とを、前記排水管から行うことができる構成としたことを特徴とするものである。
【００１０】
これにより、機器の水抜き時に、貯湯槽の水抜き操作だけで、追い焚き回路から水を抜くことができ、水抜き操作が容易な給湯装置を提供できる。
【発明の効果】
【００１１】
本発明によれば、貯湯槽の水抜き操作だけで、追い焚き回路からも水を抜くことができる使用性の高い給湯装置を提供できる。
【図面の簡単な説明】
【００１２】
【図１】本発明の実施の形態１における給湯装置の構成図
【図２】同逆止弁の断面図
【図３】従来の給湯装置の構成図
【発明を実施するための形態】
【００１３】
第１の発明は、加熱手段と、前記加熱手段により加熱された湯を貯湯する貯湯槽と、前記貯湯槽の湯で浴槽の水を加熱する熱交換器と、前記貯湯槽内の湯が前記熱交換器を介して循環する追い焚き回路と、前記貯湯槽内の水を排水する排水管と、前記排水管に接続された排水栓と、前記貯湯槽の上部に配設された逃がし弁と、前記追い焚き回路内の水を前記排水管へ排水する水抜き流路と、を備え、前記水抜き流路は、前記貯湯槽の底部の水が、前記排水管を介して前記加熱手段に搬送される流路の一部を利用して設けられており、前記排水栓と前記逃がし弁とを開くだけで、前記追い焚き回路の水が、前記水抜き流路から前記排水管へと流れ、前記貯湯槽内の水の排水と前記追い焚き回路内の水の排水とを、前記排水管から行うことができる構成としたことを特徴とする給湯装置である。
【００１４】
これにより、機器の水抜き時に、貯湯槽の水抜き操作だけで、追い焚き回路から水を抜くことができ、水抜き操作が容易な給湯装置を提供できる。
【００１５】
第２の発明は、特に第１の発明において、前記水抜き流路は、前記排水管側から前記追い焚き回路側への水の流れを防止する逆流防止手段を含むことを特徴とする給湯装置である。
【００１６】
これにより、沸き上げ性能を維持しつつ、機器の水抜き時に、貯湯槽の水抜き操作だけで、追い焚き回路から水を抜くことができる。
【００１７】
従って、水抜き操作が容易な給湯装置を提供できる。
【００１８】
以下、本発明の実施の形態について、図面を参照しながら説明する。
【００１９】
なお、この実施の形態によって本発明が限定されるものではない。
【００２０】
（実施の形態１）
図１は、本発明の実施の形態１における給湯装置の構成を示す図である。
【００２１】
図１において、貯湯槽１と、貯湯槽１の底部に接続された給水管２と、貯湯槽１の下部である底部に接続された排水管３と、排水管３に接続された排水栓４と、貯湯槽１の水を加熱する加熱手段としてのヒートポンプユニット５と、貯湯槽１の底部からの水を、前記排水管３を介してヒートポンプユニット５に搬送および加熱し、再び、貯湯槽１の上部である頂部に搬送するための沸き上げポンプ１３と、沸き上げポンプ１３にてヒートポンプユニット５から搬送された湯を、貯湯槽１の下部である底部もしくは貯湯槽１の上部である頂部に導くための三方弁６と、追い焚きを行う対象の浴槽７と、浴槽７の水と貯湯槽１の水とを熱交換するように構成された熱交換器８から構成されている。
【００２２】
また、給湯装置は、浴槽７と熱交換器８を接続する浴槽水循環配管９と、浴槽７の水を熱交換器８に搬送するための浴槽水搬送ポンプ１０と、貯湯槽１の水を熱交換器８に搬送するための貯湯槽水搬送ポンプ１１とから構成されている。
【００２３】
また、貯湯槽１の頂部、熱交換器８を接続する貯湯槽熱交換器接続配管１２ａと、熱交換器８、貯湯槽水搬送ポンプ１１を接続する熱交換器ポンプ配管１２ｂと、貯湯槽水搬送ポンプ１１、貯湯槽１の側面部を接続するポンプ貯湯槽配管１２ｃとから構成される追い焚き回路１２を備えている。
【００２４】
なお、ポンプ貯湯槽配管１２ｃは、追い焚き回路１２の略最下部より高い位置の貯湯槽１の側面部に接続されている。
【００２５】
さらに、ポンプ貯湯槽配管１２ｃ、逆止弁１５を接続する追い焚き逆止弁配管１４ａと、逆止弁１５、沸き上げポンプ１３を接続する逆止弁沸き上げポンプ配管１４ｂと、沸き上げポンプ１３、排水管３を接続する沸き上げポンプ排水管配管１４ｃとから構成された水抜き配管１４を備えている。
【００２６】
また、水抜き配管１４は、貯湯槽１の底部からの水を、排水管３を介してヒートポンプユニット５に水を搬送する流路の一部であるポンプ排水管配管１４ｃを利用している。
【００２７】
また、水抜き配管１４内に設置された前記逆止弁１５は、後に述べる逆流防止手段の役割を果たしている。
【００２８】
すなわち、水抜き配管１４は、排水栓４と貯湯槽１の上部である頂部に配設された逃がし弁１６とを開くと、追い焚き回路１２から排水管３へと水が流れる水抜き流路の役割を果たしている。
【００２９】
また、追い焚き逆止弁配管１４ａは、追い焚き回路１２を構成する配管に接続されていて、接続部が追い焚き回路１２の略最下部であることを特徴とする。
【００３０】
沸き上げポンプ１３は、ヒートポンプユニット５による沸き上げ機能が動作する範囲であれば、逆止弁沸き上げポンプ配管１４ｂと沸き上げポンプ排水管配管１４ｃに接続されていない構成も可能であり、ヒートポンプユニット５内に配しても可能である。
【００３１】
追い焚き運転時には、浴槽水搬送ポンプ１０と貯湯槽水搬送ポンプ１１が動作し、貯湯槽１の水と浴槽７の水が熱交換される。ここで、追い焚き回路１２の貯湯槽１の頂部から出た高温の水は、熱交換器８で浴槽７の水と熱交換され、貯湯槽１側面部または底部に還流する。
【００３２】
沸き上げ運転時には、ヒートポンプユニット５で加熱された貯湯槽１の底部の水が、沸き上げポンプ１３によって、貯湯槽１の頂部に供給される。
【００３３】
出湯時には、貯湯槽１の頂部に配された出湯配管１７から湯が出湯され、出湯された湯と同量の水が貯湯槽１の底部に配された給水管２から給水される。
【００３４】
前記出湯動作により、貯湯槽１の頂部の水温が、貯湯槽１の底部より高くなり、貯湯槽１内に温度勾配が生じる。
【００３５】
水抜き配管１４内に逆流防止手段が無い場合、前記温度勾配により、対流が発生し、貯湯槽１の頂部と追い焚き回路１２と水抜き配管１４と排水管３と貯湯槽１の底部で構成される経路内では、貯湯槽１の頂部から追い焚き回路１２と水抜き配管１４と排水管３を経由して、貯湯槽１の底部に向かい水が流れる。
【００３６】
比較的高温の貯湯槽１の頂部の水が、比較的低温の貯湯槽１の底部の水に混入すると、貯湯槽１の底部の水温が上昇し、ヒートポンプユニット５の沸き上げ性能が低下する。
【００３７】
本構成においては、水抜き配管１４に逆流防止手段である逆止弁１５が配されており、貯湯槽１の頂部と追い焚き回路１２と水抜き配管１４と排水管３と貯湯槽１の底部で構成される経路が遮断されることで、対流が発生しないので、貯湯槽１の頂部の水が貯湯槽１の底部に流れ込まず、貯湯槽１の底部の水温が上昇しないため、ヒートポンプユニット５の沸き上げ性能低下は防止される。
【００３８】
さらに、機器の水抜き時に、排水管３に接続された排水栓４と逃がし弁１６とを開くと、追い焚き回路１２の水は、追加の水抜き操作なしで、前記水抜き配管１４と前記排水管３を経由することで排水される。
【００３９】
図２に断面図を示す逆止弁１５は逆流防止手段の一例である。弁体１８と、弁体１８の内部に取り付けられた弁棒１９と、バネ２０と、弁棒１９の先に取り付けられたゴムパッキン２１から構成されている。
【００４０】
逆止弁１５は、差圧０．０１ＭＰａ以下で逆方向への漏れ量１００ｍＬ毎分以内という漏れ防止性能を備えている。
【００４１】
この漏れ防止性能が満たされていれば、逆止弁１５は、ゴムパッキン２１を使用せずに構成することも可能である。
【００４２】
排水時以外は、追い焚き時を含めて、弁棒１９はバネ２０によって弁体１８の弁座に押さえつけられており、逆止弁１５は閉状態となっている。ただし、弁体１８内部の順方向からの水圧が逆方向からの水圧を上回ると、バネ２０が縮み、弁棒１９と弁体１８の弁座部分の間に隙間ができることによって逆止弁１５は開状態になる。
【００４３】
逆止弁１５は、追い焚き回路１２から排水管３、すなわち貯湯槽１の底部へ向かう方向を順方向として設置されている。
【００４４】
排水時以外は、前述したように、逆止弁１５は閉状態となっているので、貯湯槽１の頂部と追い焚き回路１２と水抜き配管１４と排水管３と貯湯槽１の底部で構成される経路は、水抜き配管１４に配された逆止弁１５によって遮断される。
【００４５】
そのため、前記経路内における対流は発生せず、貯湯槽１の頂部の水が貯湯槽１の底部に流れ込むことによる貯湯槽１の底部の水温上昇は防止され、ヒートポンプユニット５の沸き上げ性能は低下しない。
【００４６】
また、貯湯槽の水抜き時には、排水により、弁体１８内部では順方向からの水圧が逆方向からの水圧を上回る。そのため、逆止弁１５は開状態となり、追い焚き回路１２の水は追加操作無しで排水される。
【産業上の利用可能性】
【００４７】
以上のように、本発明にかかる給湯装置は、追い焚き機能を持つ各種ヒートポンプ給湯機に適用できる。
【符号の説明】
【００４８】
１  貯湯槽
２  給水管
３  排水管
４  排水栓
５  ヒートポンプユニット（加熱手段）
６  三方弁
７  浴槽
８  熱交換器
９  浴槽水循環配管
１０  浴槽水搬送ポンプ
１１  貯湯槽水搬送ポンプ
１２  追い焚き回路
１２ａ  貯湯槽熱交換器接続配管
１２ｂ  熱交換器ポンプ配管
１２ｃ  ポンプ貯湯槽配管
１３  沸き上げポンプ
１４  水抜き配管（水抜き流路）
１４ａ  追い焚き逆止弁配管
１４ｂ  逆止弁沸き上げポンプ配管
１４ｃ  ポンプ排水管配管
１５  逆止弁（逆流防止手段）
１６  逃がし弁
１７  出湯配管
１８  弁体
１９  弁棒
２０  バネ
２１  ゴムパッキン
２２  追い焚き回路水抜き管
２３  追い焚き回路水抜き栓
【図１】
0006561312.tif 000002
【図２】
0006561312.tif 000003
【図３】
0006561312.tif 000004